(57)【要約】【課題】  容易に所望の録音データを検索することが可能な携帯電話装置を提供すること。【解決手段】  通話録音時に、録音データ生成部１０７は、使用者の通話である上り通話音声と相手側の通話である下り通話音声を別々に録音して、設定されたビットレートで録音データを生成する。通話録音検索時に、マイク１０９から使用者の音声で通話中にあったと思われる単語やフレーズを音声として入力し、音声波形生成部１０２がその音声を波形に変換し、検索のための音声波形を生成する。波形検索部１１２は、絞り込まれた録音データの上り通話音声の中から音声波形と略一致する波形を持つ録音データを検索する。【選択図】  図１
2006165846.tif 000002
【特許請求の範囲】
【請求項１】
通話中の音声を録音して録音データを生成する録音データ生成手段と、
前記録音データを記憶する録音データ記憶手段と、
検索用の使用者の音声を入力する検索用音声検出手段と、
前記録音データ記憶手段を参照して、前記入力された検索用音声の音声波形と略一致する録音データを検索する検索手段と、
を備える携帯電話装置。
【請求項２】
請求項１記載の携帯電話装置であって、
前記録音データ生成手段は、使用者の音声である上り通話と通話相手の音声である下り通話とを分けて録音データを生成する携帯電話装置。
【請求項３】
請求項２記載の携帯電話装置であって、
前記録音データ生成手段は、前記上り通話と前記下り通話の録音データを異なるビットレートで生成する携帯電話装置。
【請求項４】
請求項１〜３のいずれか一項記載の携帯電話装置であって、
前記録音データ生成手段は、通話中の無音部を示す無音識別情報を前記録音データに付加し、前記検索手段は、前記無音識別情報で示された無音部を除いた部分の録音データを検索する携帯電話装置。
【発明の詳細な説明】
【技術分野】
【０００１】
本発明は、携帯電話装置に関する。
【背景技術】
【０００２】
従来、携帯電話装置などの通信装置には、通話内容を録音するとともに、必要な通信相手との通話内容を簡単に検索して再生する通話録音検索機能を備えたものがある。
【０００３】
この種の通信装置として、例えば、特許文献１に開示された携帯電話機及びコンピュータ・ソフトウエアがある。この携帯電話機は、通話内容を録音する通話録音部、通信相手別に通話内容を記憶するデータベース、及びデータベース制御部等を備える。
【０００４】
通話録音部は通話時にあらかじめ設定した通信相手との通話を通信相手別に録音し、データベース制御部はあらかじめ登録してある電話帳の電話番号の指定による通信相手の特定により、通信相手別に登録することを制御する。したがって、必要な通信相手との通話内容を検索して再生するとき、ユーザが必要な通信相手の電話番号を指定して、データベースに登録されている電話番号を読出して、電話番号に該当する通信相手ファイルから登録内容を再生することができる。
【０００５】
また、所望の通話内容を容易に検索することができる通話録音装置として、特許文献２に開示された通話録音装置がある。この通話録音装置は、電話装置の通話内容を自動的に録音し、通話後にその通話内容の保存の必要性を選択できるようにする。そして通話内容の保存が不必要であればその通話内容を消去するようにし、保存が必要であればその通話内容を保存するとともに通話内容を説明する題目を録音するようにする。これにより、再生時に題目の内容を聞くことで記録された通話内容の検索を行うことができる。
【０００６】
しかしながら、上記従来の携帯電話装置にあっては、録音データが多くなると、通話相手や通話日時から求める通話内容を検索するのが困難になるという問題があった。また、例えば「特許」の件といった、通話内容より検索を行うことは困難であった。
【特許文献１】特開２００４−１８７０７２号公報
【特許文献２】特開平８−１４９２２６号公報
【発明の開示】
【発明が解決しようとする課題】
【０００７】
本発明は、上記従来の事情に鑑みてなされたものであって、容易に所望の録音データを通話音声により検索することが可能な携帯電話装置を提供することを目的とする。
【課題を解決するための手段】
【０００８】
本発明の携帯電話装置は、通話中の音声を録音して録音データを生成する録音データ生成手段と、前記録音データを記憶する録音データ記憶手段と、検索用の使用者の音声を入力する検索用音声検出手段と、前記録音データ記憶手段を参照して、前記入力された検索用音声の音声波形と略一致する録音データを検索する検索手段と、を備える。
【０００９】
この構成により、自分の音声で録音データを検索することで、容易に所望の録音データを検索することが可能となる。
【００１０】
また、本発明の携帯電話装置において、前記録音データ生成手段は、使用者の音声である上り通話と通話相手の音声である下り通話とを分けて録音データを生成する。
【００１１】
この構成により、上り通話と下り通話が混在することはなく、下り通話側のノイズが大きな場合でも、上り通話の音声波形が影響を受けることはない。さらに検索には使用者の声を用いるため、音声検索の際の認識率を高くすることが可能となる。
【００１２】
また、本発明の携帯電話装置において、前記録音データ生成手段は、前記上り通話と前記下り通話の録音データを異なるビットレートで生成する。
【００１３】
この構成により、検索に必要な上り通話音声を高いビットレートに設定し、下り通話音声は充分に聞き取れる程度のビットレートに抑えることができる。これによりすべて同じビットレートで録音データを生成する場合と比較して、録音に要する録音データ記憶手段の容量は低減させることができる。
【００１４】
また、本発明の携帯電話装置において、前記録音データ生成手段は、通話中の無音部を示す無音識別情報を前記録音データに付加し、前記検索手段は、前記無音識別情報で示された無音部を除いた部分の録音データを検索する。
【００１５】
この構成により、無音部分を飛ばして検索することで、検索時間を減らすことができるとともに、前記無音識別情報は検索の開始ポイントとして用いることができ、検索の効率を高めることができる。
【発明の効果】
【００１６】
本発明によれば、携帯電話による通話のようにノイズが多く、大容量なデータの中から、容易に所望の録音データを検索することが可能な携帯電話装置を提供することができる。
【発明を実施するための最良の形態】
【００１７】
図１は、本発明の実施形態に係る携帯電話装置の構成を示すブロック図である。図１に示すように、携帯電話装置１００は、送受信部１０１と、音声波形生成部１０２と、操作部１０３と、表示部１０４と、上り音声検出部１０５と、下り音声検出部１０６と、録音データ生成部１０７と、コーデック１０８と、マイク１０９と、スピーカ１１０と、相手情報生成部１１１と、波形検索部１１２と、データベース１１３と、中央処理部１１４と、無音部検出部１１５とを備える。
【００１８】
送受信部１０１は、アンテナ（図示せず）を介して送受信を行う。音声波形生成部１０２は、入力された音声を音声波形に変換する。操作部１０３は、携帯電話装置１００の各種設定操作を行う。表示部１０４は、文字及び携帯電話装置１００の各種動作状態を表示する。
【００１９】
上り音声検出部１０５は、上り音声、すなわちマイク１０９から入力された使用者の音声を検出する。下り音声検出部１０６は、下り音声、すなわち送受信部１０１より受信した通話相手側の音声を検出する。録音データ生成部１０７は上り音声検出部１０５・下り音声検出部１０６で検出された音声データと通話相手情報を結合する。マイク１０９は、使用者からの指示音声や通話音声を入力するものであり、スピーカ１１０は、通話相手側からの通話音声を出力する。コーデック１０８は、マイク１０９から入力された音声データやスピーカ１１０に出力する音声に対して、Ａ／Ｄ変換、Ｄ／Ａ変換及び符号化・復号化処理を行う。
【００２０】
相手情報生成部１１１は、通話開始時刻と通話相手電話番号を用いて通話相手情報を生成する。波形検索部１１２は、録音データの中から検索のために入力した音声波形と一致した音声波形を検索する。データベース１１３は、通話開始時刻、通話終了時刻、通話相手電話番号が含まれた録音データなどを保存する。中央処理部１１４は、携帯電話装置１００の各部の制御と信号処理を行う。無音部検出部１１５は、通話中の無音部を検出する。
【００２１】
本実施形態の携帯電話装置１００は、（１）通話音声の録音を行うかどうかの設定ができ、行う場合は通話を自動的に録音する機能を有する。また、（２）使用者の通話である上り通話と相手側の通話である下り通話の音声を別々に録音する機能、（３）それぞれ無音部には無音識別情報である目印となるフラグを設置する機能、（４）上り通話と下り通話の録音時のビットレートを設定・変更できる機能、（５）入力された音声を音声波形に変換する機能、（６）マイクより音声を入力し、その音声波形と略一致する上り音声波形を有する通話音声を検索する機能、（７）検索された通話を上り音声、下り音声合わせて再生する機能、（８）録音データに通話開始時刻や通話終了時刻、相手先情報などを与える機能等を有している。
【００２２】
上記の機能は、中央処理部１１４の制御に従って実現される。例えば、操作部１０３を介して、使用者により、通話録音を行うかどうかの設定と、上り通話と下り通話とを録音する時のビットレートの設定・変更などを行われる。
【００２３】
また、中央処理部１１４は、通話録音を行うと設定されている場合、着信又は発信があり、通話が開始すると、相手情報生成部１１１から通話開始時刻と通話相手電話番号とを引き出し、録音データ生成部１０７に通話音声と通話相手先情報を併せ持った録音データを生成させ、自動的に録音するよう各部を制御する。
【００２４】
また、中央処理部１１４は、通話音声を録音するとき、上り通話と下り通話の音声を別々に録音し、それぞれ無音部には無音識別情報である目印となるフラグを設置する。また、通話終了と同時に録音も終了する。通話終了時には、通話音声に対して使用者から操作部１０３の入力により重要度、消去禁止設定、シークレット設定などの通話属性データを自動的に付与し、録音データとしてデータベース１１３に保存する。図２は本発明の実施形態に係る携帯電話装置の録音データの構造を示す一例である。
【００２５】
保存された録音データの中から目的の録音データを検索する場合、使用者は携帯電話装置１００の操作部１０３を操作することにより音声入力を待機状態にし、通話中にあったと思われる単語やフレーズをマイク１０９に音声として入力し、音声波形生成部１０２がその音声を波形に変換し、音声波形を生成する。波形検索部１１２は、データベース１１３に記録されている録音データの中から入力した音声波形と略一致である録音データを検索し、略一致通話リストを生成し、該リストを表示部１０４に表示し、使用者がその略一致通話リストから目的通話であると思われる録音データを選択し、再生する。
図３は本発明の実施形態に係る携帯電話装置の録音データの検索方法を示す図である。  検索方法としては、録音された通話を通話開始時から検索し、波形が略一致する部分を検索する方法（図中（１））と、通話が長い場合や、検索に用いる使用者の音声が通話の後半にあるとわかっている様な場合は、使用者が検索場所を設定し、検索時間を短縮する方法がある（図中（２））。また、通話音声はデータとして処理されるため音声を逆から、すなわち録音された際の時系列を逆にさかのぼっての検索を行うこともできる（図中（３））。検索する音声が通話の終盤にある際は、逆から検索を行うことで、検索時間を短縮することができる。このため、通話が長い場合や、検索する音声が、通話のどこにあるかをあらかじめわかっている場合は、検索時間を短縮することが可能である。
【００２６】
また、本実施形態の携帯電話装置１００は、録音後の検索を容易にするために、マイク１０９から入力される使用者の通話音声である上り通話と、スピーカ１１０からの相手側の通話音声である下り通話を別々に録音することが可能である。このことにより、録音データから目的の通話を高い精度で発見することが可能となる。例えば、上り通話と下り通話を１つの録音データとして録音し、その音声を検索に用いた場合、上り・下り音声が同時に発せられると、自分で発した音声の波形が変化し、その部分は検索に用いた場合、音声の認識率が低下する。上り・下り音声をそれぞれ別に録音することで、下り通話音声からのノイズを防ぎ、効率的に検索を行うことが可能となる。また、上り通話と下り通話の録音時のビットレートを変更できる機能を有することで、データベース１１３の容量などを考慮し、検索に必要な上り通話音声を高いビットレートに設定し、下り通話音声は充分に聞き取れる程度のビットレートに抑えることができる。これによりすべて同じビットレートで録音した場合と比較して、録音に要するデータベース１１３の容量を減少させることができる。また、ここでいうデータベースはメモリカードや磁気ディスク、光学ディスクなどを指しており、携帯電話装置に固定されていても、取り外し可能でも構わない。取り外しが可能なデータベースの場合、メモリカードを入れ替えることにより記録容量を容易に増加させることができる他、重要な通話を保存した際には誤って消去されないようにデータベースを取り外すことができるため、利便性、安全性が増す。
【００２７】
以上のように構成された携帯電話装置１００について、図４に示すフローチャートを用いて録音時の動作について説明する。
【００２８】
まず、待機状態（ステップＳ２０１）において、発信や着信際のオンフックの有無を検出する（ステップＳ２０２）。
【００２９】
ステップＳ２０２において、オンフックがない場合、ステップＳ２０２に戻って、再び発信や着信際のオンフックの有無を検出する。
【００３０】
一方、ステップＳ２０２において、オンフックを検出した場合は、あらかじめ使用者が設定した自動的に通話を録音するかどうかの設定により、録音を開始するかどうかを決定する。ここで、使用者が自動的に通話を録音すると設定した場合、相手情報生成部１１１は通話開始時刻と通話相手電話番号を読み取り、通話相手情報として生成する（ステップＳ２０３）。そして、録音データ生成部１０７は通話相手情報を併せ持った録音データを作り、録音を開始する（ステップＳ２０４）。
【００３１】
通話音声の録音は、検索を容易にするために、マイク１０９から入力される使用者の通話である上り通話音声と、送受信部１０１から受信したからの相手側の通話である下り通話音声を別々に録音するので、上り音声検出部１０５が上り音声入力の検出を行い、上り音声入力を検出した場合、中央処理部１１４に上り音声入力を検出したことを通知し、中央処理部１１４は上り音声検出部１０５からの上り音声入力検出通知の有無により、上り音声入力があるかを判断する（ステップＳ２０５）。
【００３２】
ステップＳ２０５において、上り音声入力があったと判定した場合、無音識別情報であるフラグを挿入し（ステップＳ２０６）、上り音声を録音する（ステップＳ２０７）。ここで、上り通話音声を録音するとき、マイク１０９から入力された通話音声はコーデック１０８により、設定された上り通話録音時のビットレートで録音され、音声波形生成部１０２で通話音声が音声波形に変換され、データベース１１３は録音データを記録する。
【００３３】
無音部検出部１１５は無音部の検出を行い、無音部を検出した場合、中央処理部１１４に無音部を検出したことを通知し、中央処理部１１４は無音部検出部１１５からの無音部検出通知の有無により、無音部を検出したかを判断する（ステップＳ２０８）。
【００３４】
ステップＳ２０８において、無音部を検出しなかったと判定した場合、ステップＳ２０７に戻って、再び上り音声を録音する。
【００３５】
一方、ステップＳ２０８において、無音部を検出したと判定した場合、無音識別情報を挿入し（ステップＳ２０９）、通話が終了したかを判断する（ステップＳ２１０）。
【００３６】
ステップＳ２１０において、通話が終了していないと判定した場合、ステップＳ２０５に戻って、再び上り音声入力があるかを判断する。
【００３７】
一方、ステップＳ２１０において、通話が終了したと判定した場合、相手情報生成部１１１は通話相手情報に対して通話終了時刻を加え、データベース１１３が生成された録音データと、使用者が操作部１０３により入力した重要度、消去禁止、シークレットなどを属性情報として記録し、録音を停止する（ステップＳ２１６）。
【００３８】
ステップＳ２０５において、中央処理部１１４が上り音声入力がないと判定した場合、下り音声があるかを判断する（ステップＳ２１１）。ここで、下り音声検出部１０６が下り音声入力の検出を行い、下り音声入力を検出した場合、中央処理部１１４に下り音声入力を検出したことを通知し、中央処理部１１４は下り音声検出部１０５からの下り音声入力検出通知の有無により、下り音声入力があるかを判断する。
【００３９】
ステップＳ２１１において、下り音声がないと判定した場合、ステップＳ２１０に進み、通話が終了したかを判断する。
【００４０】
一方、ステップＳ２１１において、下り音声があったと判定した場合、無音識別情報を挿入し（ステップＳ２１２）、下り音声を録音する（ステップＳ２１３）。ここで、下り通話音声を録音するとき、上り通話音声の録音と同様に、音声波形生成部１０２は通話音声を音声波形に変換し、コーデック１０８が設定された下り通話録音時のビットレートで録音を行い、録音データ生成部１０７が通話音声を、データベース１１３に録音データとして記録する。
【００４１】
無音部検出部１１５は無音部の検出を行い、無音部を検出した場合、中央処理部１１４に無音部を検出したことを通知し、中央処理部１１４は無音部検出部１１５からの無音部検出通知の有無により、無音部を検出したかを判断する（ステップＳ２１４）。
【００４２】
ステップＳ２１４において、無音部を検出しなかったと判定した場合、ステップＳ２１３に戻って、再び下り音声を録音する。
【００４３】
一方、ステップＳ２１４において、無音部を検出したと判定した場合、無音識別情報を挿入し（ステップＳ２１５）、ステップＳ２１０に進み、通話が終了したかを判断する。
【００４４】
データベース１１３の容量に余裕がなくなった場合、録音データの属性情報により、優先順位が決定され、順位が低いものから自動的に消去され、最新の通話を録音してもよい。
【００４５】
以上のように、本実施形態の携帯電話装置は録音時に、使用者の通話である上り通話と相手側の通話である下り通話の音声を別々に録音し、かつ上り音声音声と、下り音声音声とはそれぞれ無音部を検出する機能を有し、無音部の始まりと終わりに無音識別情報を設置する機能を有する。これにより、通話の細分化が可能となり、検索する際も無音部を省略できるとともに、また、前記無音識別情報は検索の開始ポイントとして用いることから検索時間が短縮される効果がある。また、上り通話と下り通話の録音時に異なるビットレートを設定ことにより、すべての通話を同じビットレートで録音した場合と比較して、録音記憶に要するデータベース１１３の容量は小さくて済む。
【００４６】
次に、図４に示した手順で記録した録音データから特定な通話データを検索する時の動作を図５に示すフローチャートに基づいて説明する。
【００４７】
検索が開始されると、中央処理部１１４は、条件付検索であるかを判断する（ステップＳ３０１）。ここで、検索は音声波形により行われるが、膨大な量のすべての通話を検索することは非効率であるため、通話相手や通話日時、大まかな通話時間などの条件によりあらかじめ通話を絞り込むことが可能である。使用者は録音データを検索する際に、通話録音検索の絞り込む条件を入力し、携帯電話装置１００は通話録音に記録されている通話時刻や通話時間、相手先情報を読み込み検索することで、通話を絞り込むことが可能である。
【００４８】
ステップＳ３０１において、条件付検索であると判定された場合、使用者により検索条件が設定される（ステップＳ３０２）。設定できる検索条件として、例えば、通話相手や通話日時、大まかな通話時間などである。
【００４９】
ステップＳ３０１において、条件付検索でないと判定した場合、またはステップＳ３０２において設定された検索条件による絞込みが行われた後に、音声波形による検索が行われる。使用者は携帯電話装置１００の操作部１０３を操作することにより音声入力を待機状態にし、通話中にあったと思われる単語やフレーズをマイク１０９に音声として入力し、入力されると音声波形生成部１０２がその音声を波形として録音し、検索のための音声波形を生成する（ステップＳ３０３）。
【００５０】
波形検索部１１２は、絞り込まれた録音データの上り通話音声の中からステップＳ３０３で生成された音声波形と略一致する波形を持つ録音データを検索する（ステップＳ３０４）。ここで、波形検索部１１２は、生成された音声波形と略一致する波形を持つ録音データを見つけた場合、検索用の音声波形と略一致波形を見つけたことを中央処理部１１４に通知する。
【００５１】
中央処理部１１４は、波形検索部１１２からの略一致波形を見つけた通知の有無により、検索のための音声波形と略一致する波形があるかを判断する（ステップＳ３０５）。
【００５２】
ステップＳ３０５において、中央処理部１１４は、波形検索部１１２からの略一致波形を見つけた通知を受け取って、略一致する波形があったと判定した場合、略一致した録音データの情報をデータベース１１３から読み出して、録音データを略一致した通話のリストに追加し、略一致通話リストを作成し（ステップＳ３０６）、全ての通話に対して検索したかを判断する（ステップＳ３０７）。
【００５３】
ステップＳ３０７において、全ての録音データに対して検索したことではないと判定した場合、ステップＳ３０４に戻って、再び絞り込まれた録音データの上り音声の中からステップＳ３０３で生成された音声波形と略一致する波形を持つ通話を検索する。
【００５４】
一方、ステップＳ３０７において、全ての録音データに対して検索したと判定した場合、ステップＳ３０３で生成された音声波形と略一致した録音データの数が０より大きいかを判断する（ステップＳ３０８）。
【００５５】
ステップＳ３０８において、略一致した通話の数が０より大きいではないと判定した場合、ステップＳ３０３で生成された音声入力波形と略一致する波形が見つからないと見なして、再度検索するかを判断し（ステップＳ３０９）、再度検索すると判定した場合、ステップＳ３０１に戻って、再び検索を開始する。
【００５６】
一方、ステップＳ３０９において、再度検索しないと判定した場合、ステップＳ３１４に進み、処理が終了する。
【００５７】
また、ステップＳ３０８において、ステップＳ３０３で生成された音声波形と略一致した録音データの数が０より大きいと判定した場合、表示部１０４が略一致通話リストを表示し、使用者はその中から目的の録音データと思われる項目を選択する（ステップＳ３１０）。略一致通話リストを表示部１０４に表示することで、使用者に録音データが発見されたことと、その録音データが有する通話時刻や通話相手電話番号を伝える。また、検索により発見された録音データに記録されている電話番号が、携帯電話機の電話帳に登録されている場合は、電話帳より通話相手の名前やその他、電話帳に登録されている内容を表示部１０４に表示される。
【００５８】
選択された録音データを確認するため、中央処理部１１４は、選択された録音データを再生するよう制御する（ステップＳ３１１）。ここの通話録音再生は、検索のための音声波形と略一致箇所の前後ｎ個目の無音識別情報間の上り通話音声、下り通話音声を合わせて再生する。この時のｎは使用者の設定により決定される。前後ｎ個目の無音識別情報間のみを再生することで、確認を容易にし、結果として検索時間を短縮することが可能である。
【００５９】
使用者は再生された録音データが目的のものであるかどうかを確認する（ステップＳ３１２）。使用者は再生された録音データを聴くことにより、その録音データは目的のものであるかを判断し、その録音データは目的のものである場合、操作部１０３を操作し、再生された通話録音が目的のものであることを中央処理部１１４に通知し、中央処理部１１４は操作部１０３からの通知により再生された録音データが目的のものであるかを確認する。
【００６０】
ステップＳ３１２において、選択した通話が目的のものではないと判定した場合、ステップＳ３１０に戻って、再度録音データの選択を行う。
【００６１】
ステップＳ３１２において、選択した録音データが目的のものであった場合は、録音データの再生を行う（ステップＳ３１３）。再生の際も、該当通話の始終を再生することも可能だが、無音識別情報を用いることにより、一致箇所以前や以後、前後の範囲を指定することで、長い通話の場合でも簡単に目的の通話を検索し再生することが可能となる。
【００６２】
ステップＳ３１０〜３１２の処理で、略一致通話リスト中の全ての通話録音を再生しても、目的の通話が発見されなかった場合は、ステップＳ３０３に戻って、再び音声を入力し検索を行うか、検索を終了するかを使用者による決定することができる。
【００６３】
以上のように、検索条件による絞込みが行われた後に、使用者の検索のための音声波形と略一致する上り通話録音を検索する。これにより、自分の音声で容易に所望の通話内容の録音データを検索することができる。
【００６４】
このような本発明の実施形態の携帯電話装置によれば、録音時に使用者の通話音声である上り通話音声と相手側の通話である下り通話の音声を別々に録音し、かつ上り通話音声と、下り通話音声とはそれぞれ無音部を検出する機能を有し、無音部の始まりと終わりに無音識別情報を設置する。検索時に検索条件による絞込みが行われた後に、使用者の音声波形と略一致する上り録音音声を検索し、目的の通話音声が見つかった場合は、その通話音声の再生を行う。これにより、自分の音声で容易に所望の通話内容の録音データを検索することができる。
【００６５】
なお、上述した説明において、無音識別情報の設置は音声データ中に設ける例を説明したが、場合によっては上り通話音声、下り通話音声それぞれの無音識別情報設置時刻や通話開始からの時間をリストとして記録することで、設置することも可能である。
【産業上の利用可能性】
【００６６】
本発明は、音声により内容から容易に所望の録音データを検索することが可能な効果を有し、携帯電話装置等に有用である。
【図面の簡単な説明】
【００６７】
【図１】本発明の実施形態に係る携帯電話装置の構成を示すブロック図
【図２】本発明の実施形態に係る携帯電話装置の録音データの構造を示す図
【図３】本発明の実施形態に係る携帯電話装置の録音データの検索方法を示す図
【図４】本発明の実施形態に係る携帯電話装置の録音時の動作を示すフローチャート
【図５】本発明の実施形態に係る携帯電話装置の検索時の動作を示すフローチャート
【符号の説明】
【００６８】
１００  携帯電話装置
１０１  送受信部
１０２  音声波形生成部
１０３  操作部
１０４  表示部
１０５  上り音声検出部
１０６  下り音声検出部
１０７  録音データ生成部
１０８  コーデック
１０９  マイク
１１０  スピーカ
１１１  相手情報生成部
１１２  波形検索部
１１３  データベース
１１４  中央処理器
１１５  無音部検出部
【図１】
2006165846.tif 000003
【図２】
2006165846.tif 000004
【図３】
2006165846.tif 000005
【図４】
2006165846.tif 000006
【図５】
2006165846.tif 000007